(57)【要約】【課題】点滴給油タイプの給油ノズルを採用してもチェーン全体を円滑に給油でき、チェーンの局部的な伸びや給油不足が発生し難い乗客コンベア用給油装置を提供する。【解決手段】このエスカレータ用給油装置は、一端が図示されない給油ポンプに接続された給油配管１の他端に結合されて環状に連結されたハンドレール駆動チェーン５５に対して点滴給油を行う給油ノズル２と、ノズル２をチェーン５５に対して給油可能なように所定の位置に保持するブラケット３と、を備える他、チェーン５５の内側に当接してノズル２から潤滑油をチェーン５５全体に塗布する給油ブラシ１０と、ブラシ１０を固定するブラシ固定ブラケット１１と、を備えており、ブラシ１０は先端部分がチェーン５５の内側に対して上方から下方へと向けて当接されるように設置され、ブラケット１１はブラシ１０の先端部分を上下方向に変位可能な構造を持ち、エスカレータの躯体に固定される。【選択図】図１
2016150827.tif 000002
【特許請求の範囲】
【請求項１】
一端が給油ポンプに接続された給油配管と、前記給油配管の他端に結合されて環状に連結されたチェーンに対して点滴給油を行う給油ノズルと、前記給油ノズルを前記チェーンに対して給油可能なように所定の位置に保持するブラケットと、を備え、当該給油ポンプから送油された潤滑油を当該チェーンの内側に対して当該給油ノズルにより当該点滴給油する乗客コンベア用給油装置において、
前記チェーンの内側に当接して前記給油ノズルから前記点滴給油された前記潤滑油を当該チェーン全体に塗布する給油ブラシと、前記給油ブラシを固定するブラシ固定ブラケットと、を備えたことを特徴とする乗客コンベア用給油装置。
【請求項２】
請求項１記載の乗客コンベア用給油装置において、
前記給油ブラシは、先端部分が前記チェーンの内側に対して上方から下方へと向けて当接されるように設置され、前記ブラシ固定ブラケットは、前記給油ブラシの先端部分を上下方向に変位可能な構造を持ち、コンベアの躯体に固定されることを特徴とする乗客コンベア用給油装置。
【請求項３】
請求項２記載の乗客コンベア用給油装置において、
前記ブラシ固定ブラケットは、前記給油ブラシを保持する保持板と、前記保持板が固定される可動板と、前記可動板が変位可能に取り付けられると共に、前記コンベアの躯体に締結具で固定される固定板と、前記可動板に設けられた切欠きの任意の位置で前記固定板に対して当該可動板を締結固定する締結具と、を備えて構成されたことを特徴とする乗客コンベア用給油装置。
【発明の詳細な説明】
【技術分野】
【０００１】
本発明は、エスカレータや動く歩道等の乗客コンベアの駆動に使用されるチェーンへの給油品質を確保するための乗客コンベア用給油装置に関する。
【背景技術】
【０００２】
従来、エスカレータや動く歩道等の乗客コンベアを駆動させるためには多くのチェーンが使用されており、チェーンが給油不足になると、チェーンに異常摩擦や切断が発生して人身事故を招く虞もあるため、チェーンに対して給油品質を確保することは乗客コンベアの保全上で特に重要な事項とみなされている。
【０００３】
そこで、給油品質を確保するための様々な技術的提案がなされており、その一例として、給油管の一端に設けられた給油ノズルが駆動力伝達部材に潤滑油を給油する給油装置において、給油ノズルを所定の給油位置へ確実に配置させることができると共に、位置変更が必要なときには容易に移動させることができて邪魔にならないようにした「エスカレータの給油装置」（特許文献１参照）が挙げられる。
【先行技術文献】
【特許文献】
【０００４】
【特許文献１】特開２０００−１２８７号公報
【発明の概要】
【発明が解決しようとする課題】
【０００５】
上述した特許文献１記載の技術は、乗客コンベアの汎用対象であるエスカレータのチェーンに給油する給油ノズルをブラケットで固定し、給油ノズルから吐出されるチェーン潤滑油を確実にチェーンへ塗布できるようにし、エスカレータの振動等でも給油ノズルがずれることがなく、チェーンへの給油不足を大幅に低減することができるものであり、特に長さの異なる全てのチェーンへ同時に給油を行うと同じ給油ノズルを用いた場合に短いチェーンへの給油が過剰になる傾向を留意し、短いチェーンへの給油が過剰にならないようにするために吐出量を制限した点滴給油タイプの給油ノズルを採用している。
【０００６】
しかしながら、点滴給油タイプの給油ノズルの場合には、給油された潤滑油がチェーンへまばらに付着するためにチェーンの局部的な伸びが発生してしまうという問題がある他、チェーン自体が稼働することでその表面に塵や埃等が付着し、こうした付着物と潤滑油とが混ざり合って粘度のように表面を覆ってしまうと、チェーン内部に潤滑油が浸透せずに給油不足に陥る事態が発生するという問題がある。
【０００７】
本発明は、このような問題点を解決すべくなされたもので、その技術的課題は、点滴給油タイプの給油ノズルを採用してもチェーン全体を円滑に給油できると共に、チェーンの局部的な伸びや給油不足が発生し難く、高い給油品質が得られる乗客コンベア用給油装置を提供することにある。
【課題を解決するための手段】
【０００８】
上記技術的課題を解決するため、本発明は、一端が給油ポンプに接続された給油配管と、給油配管の他端に結合されて環状に連結されたチェーンに対して点滴給油を行う給油ノズルと、給油ノズルをチェーンに対して給油可能なように所定の位置に保持するブラケットと、を備え、当該給油ポンプから送油された潤滑油を当該チェーンの内側に対して当該給油ノズルにより当該点滴給油する乗客コンベア用給油装置において、チェーンの内側に当接して給油ノズルから点滴給油された潤滑油を当該チェーン全体に塗布する給油ブラシと、給油ブラシを固定するブラシ固定ブラケットと、を備えたことを特徴とする。
【発明の効果】
【０００９】
本発明によれば、上記構成により、点滴給油タイプの給油ノズルを採用してもチェーン全体を円滑に給油できると共に、チェーンの局部的な伸びや給油不足が発生し難く、高い給油品質が得られる乗客コンベア用給油装置を提供できるようになる。上記した以外の課題、構成及び効果は、以下の実施の形態の説明により明らかにされる。
【図面の簡単な説明】
【００１０】
【図１】本発明の実施例１に係る乗客コンベア用給油装置が設置されたエスカレータのハンドレール駆動装置の全体的構成を正面方向から示した概略図である。
【図２】本発明の実施例２に係る乗客コンベア用給油装置が設置されたエスカレータのハンドレール駆動装置の全体的構成を正面方向から示した概略図である。
【発明を実施するための形態】
【００１１】
以下に、本発明の乗客コンベア用給油装置について、幾つかの実施例を挙げ、図面を参照して詳細に説明する。
【実施例１】
【００１２】
図１は、本発明の実施例１に係る乗客コンベア用給油装置が設置されたエスカレータのハンドレール駆動装置５の全体的構成を正面方向から示した概略図である。
【００１３】
図１を参照すれば、ここでのハンドレール駆動装置５は、乗客コンベアとしてエスカレータを対象にしたもので、駆動源となる駆動装置１３から回転力が伝達されるダブルスプロケット５１と、ハンドレール１２に当接しながら回動することでハンドレール１２を変位させる駆動ローラ５２と、エスカレータの躯体に対して従動ローラ固定部５３ａで固定されると共に、駆動ローラ５２との間でハンドレール１２を挟圧しながらハンドレール１２の変位に応じて受動的に回動する従動ローラ５３と、ダブルスプロケット５１及び駆動ローラ５２とスプロケット５４とに掛け回されて環状に連結されたハンドレール駆動チェーン５５と、互いに連結されて中途箇所が階段状を成して循環して乗降口間を移動し、図示されない利用者（乗客）が乗る複数の踏段（以下、ステップと呼ぶ）に連結されてステップへ駆動力を伝達すると共に、ハンドレール１２と同期して走行するステップチェーン６と、ステップチェーン６の側方に設けられてその走行方向に直交する方向の動きを規制するチェーンガイド７と、ステップに設けられた図示されない後輪ローラの走行を案内する後輪レール８と、を備えて構成される。
【００１４】
また、係る構成のハンドレール駆動装置５に設置されたエスカレータ用給油装置は、一端が図示されない給油ポンプに接続された給油配管１と、この給油配管１の他端に結合されてハンドレール駆動チェーン５５に対して点滴給油を行う給油ノズル２と、この給油ノズル２をハンドレール駆動チェーン５５に対して給油可能な所定の位置に保持するために従動ローラ固定部５３ａに固定されたブラケット３と、ハンドレール駆動チェーン５５の内側に当接して給油ノズル２から点滴給油された潤滑油をハンドレール駆動チェーン５５全体に塗布する給油ブラシ１０と、給油ブラシ１０を固定するブラシ固定ブラケット１１と、を備えて構成される。
【００１５】
このうち、給油ブラシ１０は、先端部分がハンドレール駆動チェーン５５の内側に対して上方から下方へと向けて当接されるように設置されている。ブラシ固定ブラケット１１は、給油ブラシ１０の先端部分を上下方向に変位可能な構造を持ち、エスカレータの躯体に固定される。
【００１６】
実施例１に係るエスカレータ用給油装置では、給油ノズル２からの点滴給油に際してハンドレール駆動チェーン５５の表面に溜まっている潤滑油を給油ブラシ１０がハンドレール駆動チェーン５５の全体に引き伸ばすため、周知技術で問題になっていた局部的な給油不足が防止される。また、給油ブラシ１０がハンドレール駆動チェーン５５の表面をなぞることにより、ハンドレール駆動チェーン５５の表面における塵や埃による付着物の汚れを除去できるため、周知技術で問題になっていたハンドレール駆動チェーン５５内部への潤滑油の浸透不足が防止される。更に、給油ブラシ１０をその先端部分がハンドレール駆動チェーン５５の内側に対して上方から下方へと向けて当接するように設置することでハンドレール駆動チェーン５５の表面に付着した潤滑油をハンドレール駆動チェーン５５以外の場所に誘導できるため、潤滑油によるハンドレール駆動チェーン５５への汚損が防止される。この結果、点滴給油タイプの給油ノズル２を採用してもハンドレール駆動チェーン５５全体を円滑に給油できると共に、ハンドレール駆動チェーン５５の局部的な伸びや給油不足が発生し難く、点滴給油において高い給油品質が得られ、信頼性が向上するようになる。
【実施例２】
【００１７】
図２は、本発明の実施例２に係る乗客コンベア用給油装置が設置されたエスカレータのハンドレール駆動装置５の全体的構成を正面方向から示した概略図である。
【００１８】
図２を参照すれば、ここでのエスカレータ用給油装置は、実施例１で説明した給油ブラシ１０を固定するブラシ固定ブラケット１１の構造を工夫したものである。具体的に云えば、ここでのブラシ固定ブラケット１１´は、給油ブラシ１０を保持する保持板１１ａと、保持板１１ａが固定される可動板１１ｂと、可動板１１ｂが変位可能に取り付けられると共に、エスカレータの躯体にボルト及びナット等による締結具１１ｅで固定される固定板１１ｃと、可動板１１ｂに設けられた切欠き１１１ｂの任意の位置で固定板１１ｃに対して可動板１１ｂを締結固定する締結具１１ｄと、を備えて構成される。
【００１９】
実施例２に係るエスカレータ用給油装置では、ブラシ固定ブラケット１１´において可動板１１ｂを切欠き１１１ｂの範囲内で変位させることができ、給油ブラシ１０の先端部分のハンドレール駆動チェーン５５への当接位置を調整することが可能であることにより、給油ブラシ１０の位置調整部である切欠き１１１ｂを機器の密集するハンドレール駆動装置５の中心部から隣接機器の少ない部位まで延設すれば、他の機器を障害とせずに円滑に給油ブラシ１０が設置される位置を調整することが可能となる。即ち、実施例２の構成では、機器が密集しているエスカレータの躯体の内部からハンドレール駆動チェーン５５の外側に位置調整手段を設けることができるため、実施例１の場合よりも給油ブラシ１０の位置調整作業の効率が向上されることになる。その他の作用効果については実施例１の場合と同様に得られるものである。
【００２０】
尚、上述した各実施例に係る乗客コンベア用給油装置では、乗客コンベアとしてエスカレータを対象とした場合を説明したが、複数のステップの中途箇所が階段状を成さずに平坦状態が維持される構造の動く歩道を対象としても同等に適用することが可能であるため、本発明の乗客コンベア用給油装置は各実施例で説明したエスカレータへの適用形態に限定されない。
【符号の説明】
【００２１】
１  給油配管
２  給油ノズル
３  ブラケット
５  ハンドレール駆動装置
６  ステップチェーン
７  チェーンガイド
８  後輪レール
１０  給油ブラシ
１１、１１´  ブラシ固定ブラケット
１１ａ  保持板
１１ｂ  可動板
１１ｃ  固定板
１１ｅ、１１ｄ  締結具
１２  ハンドレール
１３  駆動装置
５１  ダブルスプロケット
５２  駆動ローラ
５３  従動ローラ
５３ａ  従動ローラ固定部
５４  スプロケット
５５  ハンドレール駆動チェーン
１１１ｂ  切欠き
【図１】
2016150827.tif 000003
【図２】
2016150827.tif 000004